(57)【特許請求の範囲】
【請求項１】
マクロセル基地局からの信号の受信品質であるマクロセル受信品質と前記マクロセル内に配置された小セル基地局からの信号の受信品質である小セル受信品質とを比較した結果に基づいて、前記マクロセル基地局から前記小セル基地局へのハンドオーバーが制御される端末装置であって、
前記端末装置は、
前記マクロセル受信品質および前記小セル受信品質を測定する受信品質測定部と、
前記小セル受信品質を前記マクロセル受信品質に対して相対的に大きくするオフセット値を用いて、前記マクロセル受信品質または前記小セル受信品質にオフセット処理を行うオフセット処理部と、
前記マクロセル受信品質に応じて、前記オフセット値を補正するオフセット値補正部と、
を備える端末装置。
【請求項２】
前記端末装置は、第１補正値と、前記第１補正値より大きい値に設定された第２補正値を、前記マクロセル基地局から受信する補正値受信部を備え、
前記オフセット値補正部は、前記マクロセル受信品質が第１の閾値より大きいときに前記第１補正値を用いて前記オフセット値を補正し、前記マクロセル受信品質が第２の閾値より小さいときに前記第２補正値を用いて前記オフセット値を補正する請求項１に記載の端末装置。
【請求項３】
前記第１補正値および前記第２補正値は、前記マクロセル基地局から前記端末装置に対して送信される受信品質測定用の設定信号に含まれている請求項２に記載の端末装置。
【請求項４】
前記第１補正値および前記第２補正値は、前記マクロセル基地局から送信される報知信号に含まれている請求項２に記載の端末装置。
【請求項５】
前記第１補正値および前記第２補正値は、前記小セル基地局ごとに設定され、かつ、前記小セル基地局からそれぞれ送信される報知信号に含まれている請求項２ないし請求項４のいずれかに記載の端末装置。
【請求項６】
前記マクロセル基地局の近傍において、前記端末装置の送信電力と前記小セル基地局の送信電力は一定にされており、
前記オフセット値補正部は、前記マクロセル基地局の近傍において前記オフセット処理に用いられるオフセット値が大きくなるように、前記オフセット値の補正を行う請求項１に記載の端末装置。
【請求項７】
端末装置においてマクロセル基地局からの信号の受信品質であるマクロセル受信品質と前記マクロセル内に配置された小セル基地局からの信号の受信品質である小セル受信品質とを比較した結果に基づいて、前記マクロセル基地局から前記小セル基地局への前記端末装置のハンドオーバーを制御する通信システムで用いられるマクロセル基地局用の基地局装置であって、
前記基地局装置は、
前記小セル受信品質を前記マクロセル受信品質に対して相対的に大きくするオフセット値を補正するための補正値を、前記端末装置に送信する送信部と、
前記端末装置において、前記マクロセル受信品質に応じて補正された前記オフセット値を用いて前記マクロセル受信品質または前記小セル受信品質にオフセット処理を行って、前記マクロセル受信品質と前記小セル受信品質とを比較した結果を、前記端末装置から受信する受信部と、
前記比較した結果に基づいて、前記マクロセル基地局から前記小セル基地局へ前記端末装置をハンドオーバーするか否かを判定する判定部と、
を備えた基地局装置。
【請求項８】
前記端末装置をハンドオーバーすると判定された場合に、前記端末装置から受信した前記マクロセル受信品質が第２の閾値より小さいか否かを判定する第２の判定部と、
前記マクロセル受信品質が第２の閾値より小さいと判定された場合に、前記小セル基地局の送信電力を上げるための制御信号を、前記小セル基地局に送信する第２の送信部と、を備えた請求項７に記載の基地局装置。
【請求項９】
端末装置においてマクロセル基地局からの信号の受信品質であるマクロセル受信品質と前記マクロセル内に配置された小セル基地局からの信号の受信品質である小セル受信品質とを比較した結果に基づいて、前記マクロセル基地局から前記小セル基地局への前記端末装置のハンドオーバーを制御する通信システムで用いられる小セル基地局用の基地局装置であって、
前記基地局装置は、
前記比較した結果に基づいて前記マクロセル基地局において前記端末装置をハンドオーバーすると判定されかつ前記マクロセル受信品質が第２の閾値より小さいと判定された場合に、前記マクロセル基地局から送信される制御信号を、前記マクロセル基地局から受信する受信部と、
前記制御信号に基づいて、前記小セル基地局の送信電力を上げる制御を行う送信電力制御部と、
を備えた基地局装置。
【請求項１０】
第３の閾値を、前記マクロセル基地局を介して、前記端末装置に送信する送信部と、
前記端末装置において前記小セル受信品質が前記第３の閾値より大きいと判定されたことを示す報告を、前記端末装置から受信する第２の受信部と、
を備え、
前記送信電力制御部は、前記報告に基づいて前記小セル基地局の送信電力を小さくする制御を行う請求項９に記載の基地局装置。
【請求項１１】
前記端末装置では、前記小セル受信品質を前記マクロセル受信品質に対して相対的に大きくするオフセット値であって、前記マクロセル受信品質に応じて補正された前記オフセット値を用いて、前記マクロセル受信品質または前記小セル受信品質にオフセット処理が行われ、
前記基地局装置は、
前記オフセット値の補正に用いられる補正値であって、前記小セル基地局ごとに設定された前記補正値を、前記端末装置へ送信する第２の送信部を備えた請求項９または請求項１０に記載の基地局装置。
【請求項１２】
端末装置とマクロセル基地局用の基地局装置とを備えた通信システムであって、
前記端末装置は、
前記マクロセル基地局からの信号の受信品質であるマクロセル受信品質と、前記マクロセル内に配置された小セル基地局からの信号の受信品質である小セル受信品質を測定する受信品質測定部と、
前記小セル受信品質を前記マクロセル受信品質に対して相対的に大きくするオフセット値を用いて、前記マクロセル受信品質または前記小セル受信品質にオフセット処理を行うオフセット処理部と、
前記オフセット値の補正に用いる補正値を、前記マクロセル基地局から受信する補正値受信部と、
前記マクロセル受信品質に応じた前記補正値を用いて、前記オフセット処理に用いる前記オフセット値を補正するオフセット値補正部と、
前記オフセット処理の結果を用いて、前記マクロセル受信品質と前記小セル受信品質とを比較した結果を、前記基地局装置へ送信する比較結果送信部と、
を備え、
前記基地局装置は、
前記補正値を、前記端末装置に送信する補正値送信部と、
前記マクロセル受信品質と前記小セル受信品質とを比較した結果を、前記端末装置から受信する比較結果受信部と、
前記比較した結果に基づいて、前記マクロセル基地局から前記小セル基地局へ前記端末装置をハンドオーバーするか否かを判定するハンドオーバー判定部と、
を備えた通信システム。
【請求項１３】
端末装置において、マクロセル基地局からの信号の受信品質であるマクロセル受信品質と、前記マクロセル内に配置された小セル基地局からの信号の受信品質である小セル受信品質を測定することと、
マクロセル基地局用の基地局装置から前記端末装置に、前記小セル受信品質を前記マクロセル受信品質に対して相対的に大きくするオフセット値を補正するための補正値を送信することと、
前記端末装置において、前記マクロセル受信品質に応じた前記補正値を用いて、前記オフセット値を補正することと、
前記端末装置において、補正された前記オフセット値を用いて、前記マクロセル受信品質または前記小セル受信品質にオフセット処理を行うことと、
前記オフセット処理後に前記マクロセル受信品質と前記小セル受信品質とを比較した結果を、前記端末装置から前記基地局装置へ送信することと、
前記基地局装置において、前記比較した結果に基づいて、前記マクロセル基地局から前記小セル基地局へ前記端末装置をハンドオーバーするか否かを判定することと、
を含むハンドオーバー制御方法。
【発明の詳細な説明】
【技術分野】
【０００１】
本発明は、基地局からの信号の受信品質に基づいてハンドオーバーが制御される端末装置に関するものである。
【背景技術】
【０００２】
近年、３ＧＰＰでは、通常の基地局（ｅＮＢ）が構築するセル（マクロセル）の中に、屋内用のホーム基地局（ＨｅＮＢ）を設置してＣＳＧセルを構築することが検討されている。ＨｅＮＢは、アクセスできる端末（ＵＥ）を制限できる機能を有しており、ＵＥは、アクセス許可のあるＨｅＮＢにしか接続できない。そのため、ＵＥはどんなに受信品質のよいＨｅＮＢを検出してもアクセス許可がなければ、（緊急時を除いて）そのＨｅＮＢに接続できない。
【０００３】
ＵＥがＨｅＮＢのアクセス許可を得るためには、ＨｅＮＢから送信される報知情報に含まれるセル識別情報（セルＩＤ）を確認する必要がある。セルＩＤには、ローカルにｅＮＢを識別する物理セルＩＤ（ＰＣＩ）や、全てのｅＮＢでユニークに識別できるセルグローバルＩＤ（ＣＧＩ）などがある。この場合、ｅＮＢを一意に識別するために、後者のＣＧＩが用いられる。ＵＥは、ネットワークから通知されるアクセス可能なＨｅＮＢのＣＧＩリスト（ホワイトリスト）と報知情報から受信したＣＧＩを照合する。そして、検出したＨｅＮＢの持つＣＧＩがホワイトリストに含まれていれば、そのＨｅＮＢはアクセス可能であると判断される。
【０００４】
ＵＥは、ＣＳＧセルに接続することにより、高速・高品質通信や低額通信など、ＣＳＧセル独自のサービスを受けることができる。したがって、ＵＥは、アクセス許可があれば、できるだけＣＳＧセルへ接続する（ｅＮＢからＨｅＮＢにハンドオーバーされる）ように制御されることが望ましいといえる。
【０００５】
ＵＥが、ｅＮＢとｅＮＢの間でハンドオーバーをするときには、例えば、まずＵＥの周辺のｅＮＢからの信号の受信品質を測定して（メジャメントを行って）、受信品質の良いｅＮＢを検出したら、そのｅＮＢにハンドオーバーを試みる。ところが、ＵＥが、ｅＮＢからＨｅＮＢにハンドオーバーするときには、受信品質の良いＨｅＮＢを検出しただけではハンドオーバーは行われず、ハンドオーバー先となるＨｅＮＢのアクセス許可の有無を確認する処理が必要になる。
【０００６】
ここで、従来のＣＳＧセルへのハンドオーバー処理の具体的な内容について、図面を参照して説明する。図３１は、マクロセルとＣＳＧセルの構成を示す説明図であり、図３２は、ＣＳＧセルへのハンドオーバーのシーケンス図である。ここでは、図３１に示すように、マクロセルの基地局（ｅＮＢ）にキャンプオンしているＵＥの近くに、アクセス可能なＣＳＧセル（ＰＣＩ＝３５、ＣＧＩ＝３０５）が存在している場合を例示して説明する。
【０００７】
この場合、図３２に示すように、まず、ｅＮＢからＵＥに受信品質測定（メジャメント）に必要な設定信号（メジャメント・コントロール）の送信が行われる（Ｓ１００）。ＵＥは、この設定信号に基づいて周辺の基地局（ｅＮＢやＨｅＮＢ）からの信号の受信品質を測定する（Ｓ１０１）。この測定により、ＵＥの周辺のｅＮＢやＨｅＮＢのＰＣＩが検出される。また、このＵＥは、ＰＣＩに基づいて、検出した基地局がｅＮＢなのかＨｅＮＢなのかを判別できる機能を有している。
【０００８】
つぎに、ＵＥからｅＮＢに、受信品質測定結果の通知（メジャメント・レポート）が送信される（Ｓ１０２）。この場合、ＵＥは、現在接続中の基地局（ｅＮＢ）からの信号の受信品質と周辺基地局（ＨｅＮＢ）からの信号の受信品質が特定の条件を満たした場合（例えば、ＨｅＮＢの受信品質がｅＮＢの受信品質を上回った場合）に、ｅＮＢの受信品質と受信品質の良いＨｅＮＢの受信品質とそのＨｅＮＢのＰＣＩを、測定結果通知信号（メジャメント・レポート）としてｅＮＢに通知する。
【０００９】
つづいて、ｅＮＢからＵＥに、アクセス確認に必要な設定情報（メジャメント・コンフィグレーション）が送信される（Ｓ１０３）。メジャメント・レポートに含まれるＰＣＩがＨｅＮＢのＰＣＩの場合であっても、図３１の例のように同一のＰＣＩを持つＨｅＮＢが他にも存在するときには、ｅＮＢは、メジャメント・レポートで通知された周辺基地局（ＨｅＮＢ）がどのＨｅＮＢなのか判別できない。そのため、ＵＥは、ＨｅＮＢから送信される報知情報からユニークなセル識別情報であるＣＧＩを受信して、ＵＥが持つホワイトリストと照合することによってアクセス確認を行った後、再度ＨｅＮＢの受信品質測定（メジャメント）を行う（Ｓ１０４）。
【００１０】
そして、ＵＥからｅＮＢに、アクセス確認した結果の通知（メジャメント・レポート）が送信される（Ｓ１０５）。この場合、メジャメント・レポートによって、再度ＨｅＮＢの受信品質測定した結果とともに、ＨｅＮＢのＣＧＩが通知される。
【００１１】
なお、検出したＨｅＮＢのアクセス許可を確認するための別の方法として、過去に検出したアクセス可能なＨｅＮＢの履歴情報（フィンガープリント）をＵＥが持っている場合には、このフィンガープリントを参照して、検出したＨｅＮＢがアクセス可能かどうか判断する方法も考えられる。この履歴情報には、例えばセル識別情報であるＰＣＩやＣＧＩやＨｅＮＢの位置情報（ＧＰＳ情報）などが含まれる。この場合には、上述のステップ（Ｓ１０２）において特定の条件を満たしかつアクセス許可のあるＨｅＮＢに対してのみ、メジャメント・レポートでｅＮＢに通知する。したがって、上記ステップ（Ｓ１０３）〜（Ｓ１０５）は省略される。
【００１２】
そして、ＵＥが検出したＨｅＮＢにアクセス許可があった場合、ｅＮＢからＨｅＮＢに、ハンドオーバー要求（ハンドオーバー・リクエスト）が送信される（Ｓ１０６）。この場合、ｅＮＢは、ハンドオーバー要求信号（ハンドオーバー・リクエスト）をアクセスゲートウェイであるＨｅＮＢＧＷやＭＭＥを介してハンドオーバー先となる基地局（ＨｅＮＢ）に送信する。このハンドオーバー・リクエストを受信したＨｅＮＢは、ＵＥのハンドオーバーが可能であると判断すると、ＨｅＮＢＧＷやＭＭＥを介してｅＮＢに、ハンドオーバー応答信号（ハンドオーバー・レスポンス）を送信する（Ｓ１０７）。
【００１３】
ハンドオーバー・レスポンスを受信したｅＮＢは、ＵＥに対してハンドオーバー実行命令信号（ハンドオーバー・コマンド）を送信する（Ｓ１０８）。このハンドオーバー・コマンドには、ＨｅＮＢにおけるＵＥの識別ＩＤ（Ｃ−ＲＮＴＩ）やＵＥが上り回線の同期処理に必要な情報が含まれる。ハンドオーバー・コマンドを受信したＵＥは、ランダム・アクセス・プリアンブルをＨｅＮＢに送信して、上り回線の同期処理（シンクロナイゼーション）を行う（Ｓ１０９）。このランダム・アクセス・プリアンブルを受信したＨｅＮＢは、ＵＥの上り回線用の割当てを行い、ＵＥに割当て情報を通知する（Ｓ１１０）。そして、ＵＥは、ＨｅＮＢとの接続に成功すると、ハンドオーバー・コンファーム信号をＨｅＮＢに送信し（Ｓ１１１）、ＵＥにおけるハンドオーバー処理が完了したことを通知する。このようなＣＳＧセルへのハンドオーバー制御については、３ＧＰＰなどで提案がなされている（例えば、非特許文献１参照）。
【００１４】
ところで、３ＧＰＰでは、ＣＳＧセルとマクロセルは同一周波数を使用する環境（ミクスト・キャリア）が検討されている。同一周波数を使用する場合、ＣＳＧセルと接続するＵＥの信号とマクロセルと接続するＵＥの信号とが干渉することが問題となる。この上り回線（アップリンク：ＵＬ）の干渉量は、マクロセルにおけるＵＥの位置によって異なる。例えば、ＵＥがｅＮＢの近傍に位置している場合には、マクロセルに与えるＵＬの干渉は大きく、一方、ＵＥが、マクロセルエッジに位置している場合には、マクロセルに与えるＵＬの干渉は小さくなる。
【００１５】
そして、上述のように、ＵＥは、アクセス可能であれば出来るだけＣＳＧセルと接続するように制御されることが望ましい。そこで、従来では、ＣＳＧセルへのハンドオーバー手順において、受信品質の測定時にアクセス可能なＨｅＮＢの受信品質の測定結果に対してオフセットをかける処理が行われていた。このオフセットをかける処理によって、ＨｅＮＢがハンドオーバー候補として選ばれやすくする、すなわち、ＨｅＮＢにハンドオーバーしやすくするように制御されていた。
【００１６】
ここで、図面を用いて、従来のオフセット処理を詳しく説明する。図３３は、従来のオフセット処理を示す図である。例えば、通常のハンドオーバー制御では、受信品質測定の結果、以下の式１の条件をみたしたときに、ＨｅＮＢへのハンドオーバーが開始される。
ｅＮＢの受信品質＜ＨｅＮＢの受信品質  （式１）
【００１７】
これに対して、オフセット処理が行われたハンドオーバー制御では、図３３に示すように、以下の式２のようにオフセット値（正のオフセット値）をＨｅＮＢの受信品質に加算することによって、ＨｅＮＢにハンドオーバーしやすくなるようにされている（例えば、非特許文献２参照）。
ｅＮＢの受信品質＜ＨｅＮＢの受信品質＋オフセット値  （式２）
【先行技術文献】
【非特許文献】
【００１８】
【非特許文献１】3GPP  RAN2  #63  contribution  R2-084736
【非特許文献２】3GPP  TS36.331  ver8.3.0  section  5.5.4.4
【００１９】
しかしながら、従来のオフセット処理においては、オフセット値を大きな値に設定した場合（アグレッシブなオフセット値を用いた場合）にも、オフセット値を小さな値に設定した場合（ネガティブなオフセット値を用いた場合）にも、それぞれ以下のような問題があった。
【００２０】
アグレッシブなオフセット値を用いた場合には、ＵＥは、よりＨｅＮＢを選択しやすくなるように制御される。したがって、ＨｅＮＢから遠くにＵＥが位置している場合（ＨｅＮＢの受信品質が小さい場合）であっても、大きなオフセット値が加算されることによって、上記の式２の条件を満たすようになり、ＨｅＮＢへのハンドオーバーが行われる。この場合、ＵＥがＨｅＮＢから遠くに位置している分だけ、ＵＥの送信電力（上り回線の送信電力）が大きくなるように制御される。そうすると、特に、ＵＥがマクロセル基地局（ｅＮＢ）の近傍に位置している場合には、マクロセルに与えるＵＬの干渉（ｅＮＢに接続している他のＵＥに対するＵＬの干渉）が大きくなる。
【００２１】
一方、ネガティブなオフセット値を用いた場合には、ＵＥは、幾分ＨｅＮＢを選択しにくくなるように制御される。したがって、ＵＥがＨｅＮＢから少し遠くに離れている場合（ＨｅＮＢの受信品質が小さい場合）には、小さなオフセット値しか加算されないため、上記の式２の条件を満たさなくなり、ＨｅＮＢへのハンドオーバーが行われない。ところで、ＵＥがセルエッジに位置しているときには、（ｅＮＢの近傍に位置している場合に比べて）マクロセルに与えるＵＬの干渉が小さい。したがって、その場合には、ＵＬの干渉に対する許容量が大きい（ＵＥの送信電力が大きくなるように制御しても、ＵＬの干渉が起こりにくい）。つまり、ＵＥがセルエッジに位置している場合には、より大きなオフセット値を用いて、積極的にハンドオーバーさせるように制御することが可能である。それにも関わらず、小さなオフセット値を用いることにより、出来るだけＣＳＧセルと接続するように制御されることが望ましいＵＥが、ＨｅＮＢにハンドオーバーできる機会を逃してしまう可能性が高くなる。
【発明の概要】
【発明が解決しようとする課題】
【００２２】
本発明は、上記背景の下でなされたものである。本発明の目的は、基地局からの信号の受信品質に応じたオフセット値を用いて適切なハンドオーバー制御を行うことのできる端末装置を提供することにある。
【課題を解決するための手段】
【００２３】
本発明の一の態様は、端末装置であり、この端末装置は、マクロセル基地局からの信号の受信品質であるマクロセル受信品質とマクロセル内に配置された小セル基地局からの信号の受信品質である小セル受信品質とを比較した結果に基づいて、マクロセル基地局から小セル基地局へのハンドオーバーが制御される端末装置であって、端末装置は、マクロセル受信品質および小セル受信品質を測定する受信品質測定部と、小セル受信品質をマクロセル受信品質に対して相対的に大きくするオフセット値を用いて、マクロセル受信品質または小セル受信品質にオフセット処理を行うオフセット処理部と、マクロセル受信品質に基づいて、複数のオフセット値の中からオフセット処理に用いるオフセット値を選択するオフセット値選択部と、を備えている。
【００２４】
以下に説明するように、本発明には他の態様が存在する。したがって、この発明の開示は、本発明の一部の態様の提供を意図しており、ここで記述され請求される発明の範囲を制限することは意図していない。
【図面の簡単な説明】
【００２５】
【図１】図１は、第１の実施の形態における端末装置のブロック図
【図２】図２は、第１の実施の形態におけるマクロセル基地局のブロック図
【図３】図３は、第１の実施の形態におけるＣＳＧセル基地局のブロック図
【図４】図４は、第１の実施の形態におけるオフセット値の補正の説明図
【図５】図５は、第１の実施の形態におけるオフセット値の補正処理のフロー図
【図６】図６は、第１の実施の形態における送信電力を一時的に上げるか否かの判定動作のフロー図
【図７】図７は、第１の実施の形態における通信システムの動作を説明するためのシーケンス図
【図８】図８は、第２の実施の形態における端末装置のブロック図
【図９】図９は、第２の実施の形態におけるマクロセル基地局のブロック図
【図１０】図１０は、第２の実施の形態における通信システムの動作を説明するためのシーケンス図
【図１１】図１１は、第３の実施の形態における端末装置のブロック図
【図１２】図１２は、第３の実施の形態におけるＣＳＧセル基地局のブロック図
【図１３】図１３は、第３の実施の形態における通信システムの動作を説明するためのシーケンス図
【図１４】図１４は、第４の実施の形態における端末装置のブロック図
【図１５】図１５は、第４の実施の形態におけるマクロセル基地局のブロック図
【図１６】図１６は、第４の実施の形態におけるＣＳＧセル基地局のブロック図
【図１７】図１７は、第４の実施の形態における通信システムの動作を説明するためのシーケンス図
【図１８】図１８は、第５の実施の形態における補正値の補正処理の流れを示すフロー図
【図１９】図１９は、第６の実施の形態における端末装置のブロック図
【図２０】図２０は、第６の実施の形態における閾値の補正処理のフロー図
【図２１】図２１は、マクロセルの受信品質と閾値との相関関係の一例を示す図
【図２２】図２２は、マクロセルの受信品質とオフセット値との相関関係の一例を示す図
【図２３】図２３は、第７の実施の形態における端末装置のブロック図
【図２４】図２４は、第７の実施の形態の端末装置における処理の流れを示すフロー図
【図２５】図２５は、第８の実施の形態における端末装置のブロック図
【図２６】図２６は、第８の実施の形態におけるインター・フレキュエンシー・メジャメントの説明図
【図２７】図２７は、第８の実施の形態の端末装置における処理の流れを示すフロー図
【図２８】図２８は、インター・フレキュエンシー・メジャメントの他の例の説明図
【図２９】図２９は、第９の実施の形態におけるＣＳＧセルのセル半径の説明図
【図３０】図３０は、第９の実施の形態におけるハンドオーバー可能な範囲の説明図
【図３１】図３１は、マクロセルとＣＳＧセルの構成を示す説明図
【図３２】図３２は、従来のＣＳＧセルへのハンドオーバーのシーケンス図
【図３３】図３３は、従来のオフセット処理を示す図
【発明を実施するための形態】
【００２６】
以下に本発明の詳細な説明を述べる。ただし、以下の詳細な説明と添付の図面は発明を限定するものではない。代わりに、発明の範囲は添付の請求の範囲により規定される。
【００２７】
本発明の端末装置は、マクロセル基地局からの信号の受信品質であるマクロセル受信品質とマクロセル内に配置された小セル基地局からの信号の受信品質である小セル受信品質とを比較した結果に基づいて、マクロセル基地局から小セル基地局へのハンドオーバーが制御される端末装置であって、端末装置は、マクロセル受信品質および小セル受信品質を測定する受信品質測定部と、小セル受信品質をマクロセル受信品質に対して相対的に大きくするオフセット値を用いて、マクロセル受信品質または小セル受信品質にオフセット処理を行うオフセット処理部と、マクロセル受信品質に基づいて、複数のオフセット値の中からオフセット処理に用いるオフセット値を選択するオフセット値選択部と、を備えた構成を有している。
【００２８】
この構成により、端末装置では、マクロセル受信品質に応じてオフセット値の補正が行われ、そのオフセット値を用いてオフセット処理が行われる。そして、オフセット処理を行った後に、マクロセル受信品質と小セル受信品質の比較が行われ、その比較した結果に基づいて、マクロセル基地局において端末装置のハンドオーバーが制御される（例えば、マクロセル受信品質より小セル受信品質が高い場合には、ハンドオーバーを行うように制御される）。
【００２９】
例えば、マクロセル受信品質が高い場合（端末装置がマクロセル基地局の近くに位置する場合など）には、小さな補正値を用いてオフセット値が補正される。そうすると、小セル受信品質がある程度低いとき（端末装置が小セル基地局から遠くに位置するときなど）にだけ、ハンドオーバーは行われないように制御される。このようにして、端末装置がある程度基地局の近くに位置するときにだけハンドオーバーが行われるようになるので、端末装置が基地局へ信号を送信するときの送信電力を比較的小さく抑えることができる。したがって、端末装置が基地局の近くに位置するときに、（端末装置の送信電力が大きいことに起因して）端末装置から基地局への上り回線の干渉が生じるのを抑えることができる。つまり、この場合、端末装置から基地局への上り回線の干渉を考慮した適切なオフセット値を用いて、ハンドオーバー制御を行うことができる。
【００３０】
また、例えば、マクロセル受信品質が低い場合（端末装置がマクロセル基地局のセルエッジに位置する場合など）には、大きな補正値を用いてオフセット値が補正される。そうすると、小セル受信品質がある程度低いとき（端末装置が小セル基地局からある程度遠くに位置するときなど）でも、ハンドオーバーが行われるように制御される。この場合には、端末装置が基地局（マクロセル基地局や小セル基地局）から離れているので、端末装置の送信電力がある程度大きくても、端末装置から基地局への上り回線の干渉が生じることが少ない。このような場合には、端末装置が基地局から遠くに位置するときでもハンドオーバーが行われるように制御されので、端末装置がハンドオーバーの機会を逃す確率を低く抑えることができる。つまり、この場合にも、端末装置から基地局への上り回線の干渉を考慮した適切なオフセット値を用いて、ハンドオーバー制御を行うことができる。
【００３１】
本発明は、端末装置から基地局への上り回線の干渉を考慮した適切なオフセット値を用いてハンドオーバー制御を行うことが可能になる。
【００３２】
以下、本発明の実施の形態の通信システムについて、図面を用いて説明する。本実施の形態の通信システムには、携帯電話機やＰＤＡ装置などの端末装置（ＵＥ）と、マクロセルを構築するマクロセル基地局（ｅＮＢ）と、マクロセル内に小セル（ＣＳＧセル）を構築するホーム基地局（ＨｅＮＢ）が含まれる。なお、ｅＮＢは、本発明のマクロセル基地局用の基地局装置に相当し、ＨｅＮＢは、本発明の小セル基地局用の基地局装置に相当する。
【００３３】
（第１の実施の形態）
本発明の第１の実施の形態の通信システムについて、図１〜図７を用いて説明する。ここでは、まず、本実施の形態のＵＥの構成について説明する。図１は、本実施の形態のＵＥの構成を示すブロック図である。図１に示すように、ＵＥ１００は、ハンドオーバーに関する制御を行うための制御部１０１と、基地局（ｅＮＢ２００やＨｅＮＢ３００）と通信するためのインターフェース（ＩＦ）である基地局通信ＩＦ１０２を備えている。
【００３４】
このＵＥ１００の制御部１０１は、ｅＮＢ２００から送信される受信品質測定用の設定信号（メジャメント・コントロール）を受信するための設定信号受信部１０３と、基地局（ｅＮＢ２００やＨｅＮＢ３００）からの信号の受信品質を測定する受信品質測定部１０４を備えている。
【００３５】
また、ＵＥ１００の制御部１０１は、所定の補正値を用いてオフセット値の補正を行うオフセット値補正部１０５と、補正されたオフセット値を用いて受信品質にオフセット処理を施すオフセット処理部１０６を備えている。この場合、ｅＮＢ２００から送信される設定信号には、オフセット値の補正に用いる二つの補正値（ｅＮＢ２００の近傍用の補正値α、セルエッジ用の補正値β）が含まれている。ここでは、この設定信号受信部１０３が、本発明の補正値受信部に相当する。また、オフセット値は、後述するように、ＣＳＧセルからの受信品質をマクロセルからの受信品質に対して相対的に大きくする値に設定されている。このオフセット値は、ｅＮＢ２００から送信される設定信号に含まれていてもよく、また、共通のオフセット値として予めＵＥ１００に設定されていてもよい。
【００３６】
ＵＥ１００の制御部１０１は、受信品質測定結果（メジャメント・レポート）を生成し、基地局へ送信する機能を備えたメジャメント・レポート生成送信部１０７（ＭＲ生成送信部）と、ホワイトリストを用いてＣＧＩの照合を行いＨｅＮＢ３００へのアクセス確認を行うアクセス確認部１０８を備えている。ＭＲ生成送信部１０７は、オフセット処理後のＨｅＮＢ３００の受信品質がｅＮＢ２００の受信品質を上回った場合に、ｅＮＢ２００の受信品質と受信品質の良いＨｅＮＢ３００の受信品質とそのＨｅＮＢ３００のＰＣＩを、受信品質測定結果としてｅＮＢ２００に通知する機能を備えている。また、ＭＲ生成送信部１０７は、受信品質測定結果とともにアクセス確認の結果を、ＨｅＮＢ３００のＣＧＩとともにｅＮＢ２００に通知する機能を備えている。
【００３７】
また、ＵＥ１００の制御部１０１は、ｅＮＢ２００からハンドオーバー実行命令（ハンドオーバー・コマンド）を受信するハンドオーバー実行命令受信部１０９と、ＨｅＮＢ３００へのハンドオーバーを実行するための処理を行うハンドオーバー実行部１１０を備えている。さらに、ＵＥ１００は、上り回線の同期信号（シンクロナイゼーション）をＨｅＮＢ３００に送信するための上り回線同期信号送信部１１１と、上り回線の割当て信号（ＵＬアロケーション）をＨｅＮＢ３００から受信するための上り回線割当て信号受信部１１２を備えている。また、このＵＥ１００は、上り回線用の割当て処理を行う上り回線割当て部１１３と、ハンドオーバー処理が完了した通知（ハンドオーバー・コンプリート）をＨｅＮＢ３００に送信するためのハンドオーバー完了送信部１１４を備えている。
【００３８】
つぎに、本実施の形態のｅＮＢ２００の構成について説明する。図２は、本実施の形態のｅＮＢ２００の構成を示すブロック図である。図２に示すように、ｅＮＢ２００は、ハンドオーバーに関する制御を行うための制御部２０１と、ＨｅＮＢ３００と通信するためのインターフェースである基地局通信ＩＦ２０２と、ＵＥ１００と通信するためのインターフェースである端末通信ＩＦ２０３を備えている。
【００３９】
ｅＮＢ２００の制御部２０１は、受信品質測定用の設定信号（メジャメント・コントロール）をＵＥ１００に送信するための設定信号送信部２０４と、ＵＥ１００から送信される受信品質測定結果（メジャメント・レポート）を受信するためのメジャメント・レポート受信部２０５（ＭＲ受信部）を備えている。上述のように、この設定信号には、オフセット値の補正に用いる二つの補正値（ｅＮＢ２００の近傍用の補正値α、セルエッジ用の補正値β）が含まれている。したがって、この設定信号送信部２０４が、本発明の送信部に相当する。なお、設定信号に含められる補正値α、βは、補正値記憶部２１１に記憶されている。また、受信品質測定結果（メジャメント・レポート）には、補正されたオフセット値を用いてオフセット処理をしたＣＳＧセルからの受信品質とマクロセルからの受信品質を比較した結果が含まれている。したがって、このＭＲ受信部２０５が、本発明の受信部に相当する。
【００４０】
また、ｅＮＢ２００の制御部２０１は、ｅＮＢ２００からＨｅＮＢ３００へのハンドオーバーを行うか否かを判定するハンドオーバー判定部２０６と、ハンドオーバーを行うと判定されたときにＨｅＮＢ３００にハンドオーバー要求（ハンドオーバー・リクエスト）を送信するためのハンドオーバー要求送信部２０７を備えている。ハンドオーバー判定部２０６は、ＣＳＧセルからの受信品質とマクロセルからの受信品質を比較した結果に基づいて、ハンドオーバーを行うか否かを決定する。したがって、このハンドオーバー判定部２０６は、本発明の判定部に相当する。
【００４１】
さらに、ハンドオーバー判定部２０６は、ＵＥ１００をハンドオーバーすると判定したときに、ＵＥ１００から受信したメジャメント・レポートに基づいて、マクロセルからの受信品質が所定の閾値Ｔ１より小さいか否かを判定する機能を備えている。したがって、このハンドオーバー判定部２０６は、本発明の第２の判定部にも相当する。そして、必須ではないが、追加として、ハンドオーバー要求送信部２０７は、この判定の結果、マクロセルからの受信品質が閾値Ｔ１より小さいと判定されたときに、ＨｅＮＢ３００の送信電力を上げるための制御信号を、ハンドオーバー要求とともにＨｅＮＢ３００に送信する。したがって、このハンドオーバー要求送信部２０７は、本発明の第２の送信部に相当するともいえる。
【００４２】
このｅＮＢ２００の制御部２０１は、ハンドオーバー要求に対する応答（ハンドオーバー応答、ハンドオーバー・レスポンス）をＨｅＮＢ３００から受信するためのハンドオーバー応答受信部２０８と、ハンドオーバー応答に基づいて、ハンドオーバー実行命令をＵＥ１００に送信するためのハンドオーバー実行命令送信部２０９を備えている。
【００４３】
つづいて、本実施の形態のＨｅＮＢ３００の構成について説明する。図３は、本実施の形態のＨｅＮＢ３００の構成を示すブロック図である。図３に示すように、ＨｅＮＢ３００は、ハンドオーバーに関する制御を行うための制御部３０１と、ｅＮＢ２００と通信するためのインターフェースである基地局通信ＩＦ３０２と、ＵＥ１００と通信するためのインターフェースである端末通信ＩＦ３０３を備えている。
【００４４】
ＨｅＮＢ３００の制御部３０１は、ｅＮＢ２００からハンドオーバー要求を受信するためのハンドオーバー要求受信部３０４と、ハンドオーバー要求に基づいてハンドオーバーを行うか否かの判定を行うハンドオーバー判定部３０５と、ハンドオーバー要求に対する応答（ハンドオーバー応答）をｅＮＢ２００に送信するためのハンドオーバー応答送信部３０６を備えている。
【００４５】
また、必須ではないが、追加として、ＨｅＮＢ３００の制御部３０１は、送信電力を制御する送信電力制御部３０７を備えている。上述のように、マクロセルからの受信品質が閾値Ｔ１より小さいと判定されたときには、ＨｅＮＢ３００の送信電力を上げるための制御信号が、ハンドオーバー要求とともにｅＮＢ２００からＨｅＮＢ３００に送信される。この送信電力制御部３０７は、このハンドオーバー要求とともに送信される制御信号に基づいて、送信電力を上げる制御を行う。そして、送信電力制御部３０７は、所定の時間（タイムアウト時間）が経過すると、送信電力を元に戻す制御を行う。
【００４６】
さらに、ＨｅＮＢ３００の制御部３０１は、ＵＥ１００に報知信号を送信するための報知信号送信部３０８を備えている。また、この制御部３０１は、ＵＥ１００から上り回線の同期信号（シンクロナイゼーション）を受信するための上り回線同期信号受信部３０９と、上り回線の割当て信号（ＵＬアロケーション）をＵＥ１００に送信するための上り回線割当て信号送信部３１０と、ハンドオーバー処理が完了した通知（ハンドオーバー・コンプリート）をＵＥ１００から受信するためのハンドオーバー完了受信部３１１を備えている。
【００４７】
以上のように構成された通信システムについて、図面を用いてその動作を説明する。
【００４８】
ここでは、本発明の特徴的な動作を中心に説明する。本実施の形態においてポイントとなる動作は、ＵＥ１００がｅＮＢ２００に近づいている場合に、ＵＥ１００における周辺ＨｅＮＢ３００とｅＮＢ２００との受信品質の比較に用いるオフセット値を補正することである。さらに、本実施の形態では、必須ではないが、ＨｅＮＢ３００にハンドオーバーした後にＨｅＮＢ３００の送信電力を一時的に上げる制御が可能である。
【００４９】
まず、図４および図５を参照して、オフセット値の補正について説明する。図４は、本実施の形態におけるオフセット値の補正の説明図である。図４に示すように、ＵＥ１００がｅＮＢ２００の近傍に位置しているときには、オフセット値が小さくなるように補正される。図４の例では、オフセット値から補正値α（なお、α＜０）が加算されている。一方、ＵＥ１００がセルエッジに位置しているときには、オフセット値が大きくなるように補正される。図４の例では、オフセット値に補正値β（なお、β＞０）が加算されている。このようなオフセット値の補正処理は、ＵＥ１００のオフセット値補正部１０５で行われる。
【００５０】
図５は、オフセット値補正部１０５の動作（オフセット値の補正処理）のフロー図である。図５に示すように、オフセット値補正部１０５では、まず、ｅＮＢ２００の受信品質が所定の閾値Ｔ１を下回るか否かの判定が行われる（Ｓ１）。ｅＮＢ２００の受信品質が閾値Ｔ１より小さい場合には、補正値βを用いてオフセット値の補正が行われる（Ｓ２）。一方、ｅＮＢ２００の受信品質が閾値Ｔ１より小さくない場合には、所定の閾値Ｔ２を上回るか否かの判定が行われる（Ｓ３）。ｅＮＢ２００の受信品質が閾値Ｔ２より大きい場合には、補正値αを用いてオフセット値の補正が行われる（Ｓ４）。なお、図４では、補正値α＜０、補正値β＞０の例について説明したが、本発明の範囲はこれに限定されるものではなく、これらの補正値はα＜βの関係を満たすものであればよい。また、閾値Ｔ１と閾値Ｔ２は、同じ値（Ｔ１＝Ｔ２）であってもよい。
【００５１】
なお、本実施の形態では、二つの補正値α、βを用いてオフセット値を補正する例について説明したが、予め補正された二つのオフセット値（ｅＮＢ２００の近傍用のオフセット値、セルエッジ用のオフセット値）をｅＮＢ２００から通知し、ｅＮＢ２００の受信品質に応じて選択するようにしてもよい。
【００５２】
本実施の形態では、必須ではないが、追加としてＨｅＮＢ３００の送信電力を一時的に上げることができる。図６を参照して、ＨｅＮＢ３００の送信電力を一時的に上げるときの動作について説明する。この送信電力を上げるか否かの判定は、ｅＮＢ２００のハンドオーバー判定部２０６で行われる。図６は、ｅＮＢ２００のハンドオーバー判定部２０６の動作（送信電力を一時的に上げるか否かの判定動作）のフロー図である。図６に示すように、ハンドオーバー判定部２０６では、ＵＥ１００から受信したメジャメント・レポートに基づいて、ｅＮＢ２００の受信品質が閾値Ｔ１を下回るか否かの判定が行われる（Ｓ５）。ｅＮＢ２００の受信品質が閾値Ｔ１より小さいと判定された場合には、ＨｅＮＢ３００に送信するハンドオーバー要求に、ＨｅＮＢ３００に対して最大送信電力を上げる指示を含める（Ｓ６）。一方、ｅＮＢ２００の受信品質が閾値Ｔ１より小さくないと判定された場合には、ＨｅＮＢ３００に送信するハンドオーバー要求に、ＨｅＮＢ３００に対して最大送信電力を変えない指示を含める、あるいは、最大送信電力を上げる指示を含めない（Ｓ７）。
【００５３】
ｅＮＢ２００からハンドオーバー要求（ハンドオーバー・リクエスト）を受信したＨｅＮＢ３００は最大送信電力指示に従って一時的に最大送信電力を変更する。これにより、マクロセルエッジにいるＵＥ１００が接続するＨｅＮＢ３００の最大送信電力は一時的に増加し、ＨｅＮＢ３００のセルエッジから少し離れたＵＥ１００に対してＨｅＮＢ３００のＤＬ信号を受信できるようになる。ここで、最大送信電力を一時的に上げられる時間（タイマー）は各ＨｅＮＢ３００で設定できるものとする。タイマーがきれるとＨｅＮＢ３００は最大送信電力を元に戻す。
【００５４】
なお、周辺基地局のメジャメントの方法として、ｅＮＢ２００と同一周波数の基地局をメジャメントする同一周波数測定（イントラ・フレキュエンシー・メジャメント）と、ｅＮＢ２００と異なる周波数の基地局をメジャメントする異周波数測定（インター・フレキュエンシー・メジャメント）がある。マクロセルのサービス帯域外でマクロセルと異なるサービス帯域を有するＣＳＧセルに対するインター・フレキュエンシー・メジャメントでは、ｅＮＢ２００と測定する周辺基地局の周波数が異なるため、双方の干渉は存在しない。そのため、ＵＥ１００の位置、すなわちｅＮＢの受信品質に応じてオフセット値を補正する必要がない。このことから、ＵＥ１００が上記のインター・フレキュエンシー・メジャメントのみを行う場合にはメジャメント・コントロールにはオフセット補正値を含めないようにして、ＵＥ１００がオフセット補正しないようにし、さらに、必須ではないが、ハンドオーバー・リクエストを使用してＨｅＮＢ３００の最大送信電力を制御しないようにしてもよい。
【００５５】
つぎに、ハンドオーバー制御が行われるときの通信システムの全体の動作について説明する。図７は、本実施の形態の通信システムの動作を説明するためのシーケンス図である。図７に示すように、まず、ｅＮＢ２００からＵＥ１００に受信品質測定（メジャメント）に必要な設定信号（メジャメント・コントロール）の送信が行われる（Ｓ１０）。この場合、ｅＮＢ２００から送信される設定信号には、オフセット値、補正値α、β、閾値の情報が含まれている。
【００５６】
ＵＥ１００は、この設定信号に基づいて周辺の基地局（ｅＮＢ２００やＨｅＮＢ３００）からの信号の受信品質を測定する（Ｓ１１）。この測定により、ＵＥ１００の周辺のｅＮＢ２００やＨｅＮＢ３００のＰＣＩが検出される。また、このＵＥ１００は、ＰＣＩに基づいて、検出した基地局がｅＮＢ２００なのかＨｅＮＢ３００なのかを判定する（Ｓ１２）。そして、検出した基地局がＨｅＮＢ３００であった場合には、オフセット値の補正が行われ（Ｓ１３）、補正されたオフセット値を用いてＨｅＮＢ３００の受信品質にオフセット処理を行い、オフセット処理後のＨｅＮＢ３００の受信品質がｅＮＢ２００の受信品質を上回るか否かの判定が行われる（Ｓ１４）。ＨｅＮＢ３００の受信品質がｅＮＢ２００の受信品質を上回った場合には、ｅＮＢ２００の受信品質とＨｅＮＢ３００の受信品質とそのＨｅＮＢ３００のＰＣＩを、測定結果通知信号（メジャメント・レポート）としてｅＮＢ２００に通知する（Ｓ１５）。
【００５７】
なお、もしＵＥ１００がフィンガープリントを持っている場合には、検出したＨｅＮＢ３００がＵＥ１００のアクセス可能な基地局であるかどうかが判別できるので、アクセス可能なＨｅＮＢ３００のみを選択し、メジャメント・レポートでｅＮＢ２００に通知できる。
【００５８】
つづいて、ｅＮＢ２００からＵＥ１００に、アクセス確認に必要な設定情報（メジャメント・コンフィグレーション）が送信される（Ｓ１６）。ＵＥ１００は、ＨｅＮＢ３００から送信される報知情報によってＣＧＩを受信して（Ｓ１７）、ＵＥ１００が持つホワイトリストと照合することによってアクセス確認を行った後（Ｓ１８）、ＨｅＮＢ３００がアクセス可能でありかつＨｅＮＢ３００の受信品質がｅＮＢ２００の受信品質を上回るかの判定を行う（Ｓ１９）。
【００５９】
そして、ＵＥ１００からｅＮＢ２００に、アクセス確認した結果の通知（メジャメント・レポート）が送信される（Ｓ２０）。この場合、メジャメント・レポートによって、再度ＨｅＮＢ３００の受信品質測定した結果とともに、ＨｅＮＢ３００のＣＧＩが通知される。
【００６０】
ｅＮＢ２００は、ＵＥ１００から受信したメジャメント・レポートに基づいて、ＨｅＮＢ３００にハンドオーバーすべきであるか否かの判定を行う（Ｓ２１）。ハンドオーバーすべきであると判定された場合には、ｅＮＢ２００からＨｅＮＢ３００に、ハンドオーバー要求（ハンドオーバー・リクエスト）が送信される（Ｓ２２）。この場合、ｅＮＢ２００は、ハンドオーバー要求信号（ハンドオーバー・リクエスト）をアクセスゲートウェイであるＨｅＮＢＧＷやＭＭＥを介してハンドオーバー先となる基地局（ＨｅＮＢ３００）に送信する。必須ではないが、このハンドオーバー・リクエストには、ｅＮＢ２００の受信品質に応じてＨｅＮＢ３００の最大送信電力を制御する制御情報が含まれる。
【００６１】
このハンドオーバー・リクエストを受信したＨｅＮＢ３００は、ＵＥ１００のハンドオーバーが可能であると判断すると（Ｓ２３）、ＨｅＮＢＧＷやＭＭＥを介して、ｅＮＢ２００に、ハンドオーバー応答信号（ハンドオーバー・レスポンス）を送信する（Ｓ２４）。このハンドオーバー・レスポンスを受信したｅＮＢ２００は、ＵＥ１００に対してハンドオーバー実行命令信号（ハンドオーバー・コマンド）を送信する（Ｓ２５）。このハンドオーバー・コマンドには、ＨｅＮＢ３００におけるＵＥ１００の識別ＩＤ（C-RNTI）やＵＥ１００が上り回線の同期処理に必要な情報が含まれる。そして、ハンドオーバー・コマンドを受信したＵＥ１００は、上り回線の同期信号（シンクロナイゼーション）をＨｅＮＢ３００に送信する（Ｓ２６）。
【００６２】
ＨｅＮＢ３００では、必須ではないが、追加として、ハンドオーバー要求に送信電力を上げる指示が含まれているか否かの判定が行われる（Ｓ２７）。ハンドオーバー要求に送信電力を上げる指示が含まれていた場合には、その指示に基づいて送信電力を一時的に上げる制御が行われる（Ｓ２８）。そして、ＨｅＮＢ３００は、ＵＥ１００の上り回線用の割当てを行い、ＵＥ１００に割当て情報を通知する（Ｓ２９）。ＵＥ１００は、ＨｅＮＢ３００との接続に成功すると、ハンドオーバー・コンファーム信号をＨｅＮＢ３００に送信して（Ｓ３０）、ＵＥ１００におけるハンドオーバー処理が完了したことを通知する。
【００６３】
このような本発明の第１の実施の形態の通信システムによれば、ＵＥ１００から基地局への上り回線の干渉を考慮した適切なオフセット値を用いてハンドオーバー制御を行うことが可能になる。
【００６４】
すなわち、本実施の形態では、ＵＥ１００において、マクロセルからの受信品質に応じてオフセット値の補正が行われ、そのオフセット値を用いてオフセット処理が行われる。そして、オフセット処理を行った後に、マクロセルからの受信品質とＣＳＧセルからの受信品質の比較が行われ、その比較した結果に基づいて、ｅＮＢ２００においてＵＥ１００のハンドオーバーが制御される。具体的には、マクロセル受信品質よりＣＳＧセル受信品質が高い場合に、ハンドオーバーを行うように制御される。
【００６５】
例えば、マクロセル受信品質が高い場合（ＵＥ１００がｅＮＢ２００の近くに位置する場合など）には、小さな補正値αを用いてオフセット値が補正される。そうすると、ＣＳＧセル受信品質がある程度低いとき（ＵＥ１００がＨｅＮＢ３００から遠くに位置するときなど）には、ハンドオーバーが行われないように制御される。このようにして、ＵＥ１００がある程度基地局の近くに位置するときにだけハンドオーバーが行われるようになる。これにより、ＵＥ１００が基地局へ信号を送信するときの送信電力を比較的小さく抑えることができる。したがって、ＵＥ１００が基地局の近くに位置するときに、ＵＥ１００の送信電力が大きいことに起因してＵＥ１００から基地局への上り回線の干渉が生じるのを抑えることができる。つまり、ＵＥ１００から基地局への上り回線の干渉を考慮した適切なオフセット値を用いて、ハンドオーバー制御を行うことができる。
【００６６】
また、例えば、マクロセルの受信品質が低い場合（ＵＥ１００がセルエッジに位置する場合など）には、大きな補正値βを用いてオフセット値が補正される。そうすると、ＣＳＧセルからの受信品質がある程度低いとき（ＵＥ１００がＨｅＮＢ３００からある程度遠くに位置するときなど）でも、ハンドオーバーが行われるように制御される。この場合には、ＵＥ１００が基地局（ｅＮＢ２００やＨｅＮＢ３００）から離れているので、ＵＥ１００の送信電力がある程度大きくても、ＵＥ１００から基地局への上り回線の干渉が生じることが少ない。このような場合に、ＵＥ１００が基地局から遠くに位置するときでもハンドオーバーが行われるように制御されので、ＵＥ１００がハンドオーバーの機会を逃す確率を低く抑えることができる。つまり、ＵＥ１００から基地局への上り回線の干渉を考慮した適切なオフセット値を用いて、ハンドオーバー制御を行うことができる。
【００６７】
本実施の形態では、オフセット値は、基地局近傍用の小さな補正値α（第１補正値）と、セルエッジ用の大きな補正値β（第２補正値）を用いて補正される。これらの補正値α、β（第１補正値および第２補正値）は、ｅＮＢ２００からＵＥ１００に送信される。そして、ＵＥ１００では、マクロセルからの受信品質が高い（閾値Ｔ２より大きい）ときには、補正値αを用いてオフセット値の補正が行われ、マクロセルからの受信品質が低い（閾値Ｔ１より小さい）ときには、補正値βを用いてオフセット値の補正が行われる。このようにして、ＵＥ１００から基地局への上り回線の干渉を考慮した適切なオフセット値を用いて、ハンドオーバー制御を行うことができる。
【００６８】
また、本実施の形態では、受信品質測定用の設定信号を利用して、ｅＮＢ２００からＵＥ１００に補正値α、β（第１補正値および第２補正値）を送信することができる。したがって、新たに補正値通知用のシグナリングを設ける必要がない。また、この設定信号は、各ＵＥ１００に対して個別に送信されるので、ＵＥ１００ごとに補正値α、βを設定することが可能になる。
【００６９】
（第２の実施の形態）
本発明の第２の実施の形態の通信システムについて、図８〜図１０を用いて説明する。ここでは、本実施の形態が、第１の実施の形態と相違する点を中心に説明する。ここで特に言及しない限り、第２の実施の形態の構成および動作は、第１の実施の形態と同様である。
【００７０】
本実施の形態では、ｅＮＢ２００から送信される報知信号によって、補正値α、βおよび閾値が通知されるように構成されており、この点が、ｅＮＢ２００からＵＥ１００に個別に送信されるメジャメント・コントロールによって、補正値α、βおよび閾値が通知されていた第１の実施の形態と異なる。
【００７１】
図８は、本実施の形態のＵＥ１００の構成を示すブロック図である。図８に示すように、本実施の形態のＵＥ１００では、第１の実施の形態の構成に、ｅＮＢ２００から送信される報知信号を受信するための報知信号受信部１１５が追加されている。
【００７２】
また、図９は、本実施の形態のｅＮＢ２００の構成を示すブロック図である。図９に示すように、本実施の形態のｅＮＢ２００では、第１の実施の形態の構成に、報知信号をＵＥ１００に送信するための報知信号送信部２１０が追加されている。なお、報知信号に含められる補正値α、βは、補正値記憶部２１１に記憶されている。
【００７３】
以上のように構成された通信システムについて、図面を参照してその動作を説明する。ここでも、通信システムの動作が、第１の実施の形態と相違する点を中心に説明する。
【００７４】
図１０は、本実施の形態の通信システムの動作を説明するためのシーケンス図である。図１０に示すように、この場合には、まず、ｅＮＢ２００からの報知信号によって、マクロセル内のすべてのＵＥ１００に対して補正値α、βや閾値が通知される（Ｓ３１）。つまり、ＵＥ１００は、マクロセルから報知される報知信号を受信して、補正値α、βおよび閾値を取得する。この場合、ＵＥ１００に個別に送信される設定信号には、補正値α、βや閾値の情報は含まれていない。
【００７５】
このような第２の実施の形態の無線通信システムによっても、第１の実施の形態と同様の作用効果が奏される。
【００７６】
そして、本実施の形態では、報知信号を利用して、ｅＮＢ２００からＵＥ１００に補正値（第１補正値および第２補正値）を送信することができる。したがって、新たに補正値通知用のシグナリングを設ける必要がない。また、この場合、受信品質測定用の設定信号を利用しないので、設定信号の情報量を増やす必要がない。
【００７７】
（第３の実施の形態）
本発明の第３の実施の形態の通信システムについて、図１１〜図１３を用いて説明する。ここでは、本実施の形態が、第１の実施の形態と相違する点を中心に説明する。ここで特に言及しない限り、第３の実施の形態の構成および動作は、第１の実施の形態と同様である。
【００７８】
本実施の形態では、各ＨｅＮＢ３００から送信される報知信号によって、補正値α、βおよび閾値が通知されるように構成されており、この点が、ｅＮＢ２００からＵＥ１００に個別に送信されるメジャメント・コントロールによって、補正値α、βおよび閾値が通知されていた第１の実施の形態と異なる。
【００７９】
図１１は、本実施の形態のＵＥ１００の構成を示すブロック図である。図１１に示すように、本実施の形態のＵＥ１００では、第１の実施の形態の構成に、各ＨｅＮＢ３００から送信される報知信号を受信するための報知信号受信部１１５と、マクロセル内で共通のオフセット値を記憶するための共通オフセット記憶部１１６が追加されている。
【００８０】
また、図１２は、本実施の形態のＨｅＮＢ３００の構成を示すブロック図である。図１２に示すように、本実施の形態のＨｅＮＢ３００では、第１の実施の形態の構成に、ＨｅＮＢ３００ごとに設定された補正値を記憶するための補正値記憶部３１２が追加されている。
【００８１】
この補正値記憶部３１２に記憶される補正値（ＨｅＮＢ３００が報知信号に含める補正値）は、マクロセル内のＨｅＮＢ３００の位置に応じて設定されている。例えば、（１）ＨｅＮＢ３００がｅＮＢ２００近傍に配置されている場合には、小さな補正値αが記憶されており、（２）ＨｅＮＢ３００がマクロセルエッジに配置されている場合には、大きな補正値βが記憶されている。また、（３）ＨｅＮＢ３００が（１）と（２）の中間に配置されている場合には、補正値を報知信号に含めない、あるいは、補正値０を含めるように構成されている。
【００８２】
以上のように構成された通信システムについて、図面を参照してその動作を説明する。ここでも、通信システムの動作が、第１の実施の形態と相違する点を中心に説明する。
【００８３】
図１３は、本実施の形態の通信システムの動作を説明するためのシーケンス図である。図１３に示すように、この場合、ＨｅＮＢ３００から送信される報知情報によってＨｅＮＢ３００ごとに設定された補正値が送信されるまでは、共通のオフセット値の補正が行われ（Ｓ１３）、補正された共通のオフセット値を用いてＨｅＮＢ３００の受信品質にオフセット処理を行い、オフセット処理後のＨｅＮＢ３００の受信品質がｅＮＢ２００の受信品質を上回るか否かの判定が行われる（Ｓ１４）。
【００８４】
ＨｅＮＢ３００から送信される報知情報によってＨｅＮＢ３００ごとに設定された補正値が送信されると（Ｓ１７）、その補正値で補正されたオフセット値（ＨｅＮＢ３００用オフセット値）を用いてＨｅＮＢ３００の受信品質にオフセット処理を行い、オフセット処理後のＨｅＮＢ３００の受信品質がｅＮＢ２００の受信品質を上回るか否かの判定が行われる（Ｓ３２）。
【００８５】
なお、図１３では、共通のオフセット値の補正を行った後に、ＨｅＮＢ３００ごとに設定された補正値でオフセット値の補正を行う場合について例示したが、ＨｅＮＢ３００ごとに設定された補正値が予め送信されていれば、共通のオフセット値の補正を行わずに、ＨｅＮＢ３００ごとに設定された補正値でオフセット値の補正を行ってもよい。
【００８６】
このような第３の実施の形態の無線通信システムによっても、第１の実施の形態と同様の作用効果が奏される。
【００８７】
そして、本実施の形態では、ＵＥ１００において、ＨｅＮＢ３００毎に設定された補正値を用いてオフセット値の補正が行われる。ＨｅＮＢ３００は、通常、マクロセル内において自らが配置された位置（ｅＮＢ２００の近くに配置されているのか、セルエッジに配置されているのか等）に関する情報を有している。そのため、ＨｅＮＢ３００ごとにマクロセル内における自らの位置を考慮した適切な補正値を設定することができる。したがって、ＵＥ１００から基地局への上り回線の干渉を考慮した適切な補正値を用いて、ハンドオーバー制御を行うことができる。またＵＥ１００がマクロセルの受信品質に基づいてオフセット補正値を選択する必要がないため、ＵＥ１００の処理負荷が軽減される。
【００８８】
（第４の実施の形態）
本発明の第４の実施の形態の通信システムについて、図１４〜図１７を用いて説明する。ここでは、本実施の形態が、第１の実施の形態と相違する点を中心に説明する。ここで特に言及しない限り、第４の実施の形態の構成および動作は、第１の実施の形態と同様である。
【００８９】
本実施の形態では、ＵＥ１００が測定したＨｅＮＢ３００の受信品質に基づいてＨｅＮＢ３００の最大送信電力を上げる時間の長さを制御できるように構成されており、この点が、ＨｅＮＢ３００の最大送信電力を上げる時間の長さをタイマーで制御していた第１の実施の形態とは異なる。
【００９０】
図１４は、本実施の形態のＵＥ１００の構成を示すブロック図である。図１４に示すように、本実施の形態のＵＥ１００では、第１の実施の形態の構成に、ＵＥ１００の受信品質測定部で測定したＨｅＮＢ３００の受信品質が、ＨｅＮＢ３００から送信された閾値Ｔｈより大きいか否かを判定する受信品質判定部１１７が追加されている。また、この場合、ハンドオーバー実行命令受信部１０９は、ＨｅＮＢ３００から送信された閾値Ｔｈ（ｅＮＢ２００からハンドオーバー実行命令とともに送信される閾値Ｔｈ）を受信する機能を備えている。したがって、このハンドオーバー実行命令受信部１０９は、本発明の閾値受信部に相当する。また、ＭＲ生成送信部１０７は、ＨｅＮＢ３００の受信品質が閾値Ｔｈより大きいと判定されたときには、その判定結果を含めたメジャメント・レポートを作成し、ＨｅＮＢ３００に送信するように構成されている。
【００９１】
図１５は、本実施の形態のｅＮＢ２００の構成を示すブロック図である。図１５に示すように、ｅＮＢ２００のハンドオーバー応答受信部２０８は、ＨｅＮＢ３００からハンドオーバー応答とともに送信される閾値Ｔｈを受信する機能を備えており、また、ｅＮＢ２００のハンドオーバー実行命令送信部２０９は、この閾値Ｔｈをハンドオーバー実行命令とともにＵＥ１００に送信する機能を備えている。
【００９２】
図１６は、本実施の形態のＨｅＮＢ３００の構成を示すブロック図である。図１６に示すように、ＨｅＮＢ３００のハンドオーバー応答送信部３０６は、ハンドオーバー応答とともに閾値ＴｈをｅＮＢ２００に送信する機能を備えている。また、本実施の形態のＨｅＮＢ３００では、第１の実施の形態の構成に、ＵＥ１００から送信されたメジャメント・レポートを受信するためのメジャメント・レポート受信部３１３（ＭＲ受信部）が追加されている。このメジャメント・レポートに基づいて、ＵＥ１００においてＨｅＮＢ３００の受信品質が閾値Ｔｈより大きいと判定されたことを確認すると、送信電力制御部３０７は、ＨｅＮＢ３００の最大送信電力を元に戻す制御を行うように構成されている。
【００９３】
以上のように構成された通信システムについて、図面を参照してその動作を説明する。ここでも、通信システムの動作が、第１の実施の形態と相違する点を中心に説明する。
【００９４】
図１７は、本実施の形態の通信システムの動作を説明するためのシーケンス図である。図１７に示すように、この場合、ＨｅＮＢ３００は、ＵＥ１００のハンドオーバーが可能であると判断すると（Ｓ２３）、ハンドオーバー応答信号（ハンドオーバー・レスポンス）とともに閾値ＴｈをｅＮＢ２００に送信する（Ｓ２４）。このハンドオーバー・レスポンスと閾値Ｔｈを受信したｅＮＢ２００は、ＵＥ１００に対してハンドオーバー実行命令信号（ハンドオーバー・コマンド）とともに閾値Ｔｈを送信する（Ｓ２５）。
【００９５】
また、図１７に示すように、ＵＥ１００は、ＨｅＮＢ３００へのハンドオーバーの完了後に、接続中のＨｅＮＢ３００の受信品質の測定を行い（Ｓ３３）、ＨｅＮＢ３００の受信品質が閾値Ｔｈを上回ったか否かの判定を行う（Ｓ３４）。なお、受信品質測定に必要な情報は、ハンドオーバー・コマンドやハンドオーバー・レスポンスに含まれている。ＵＥ１００は、ＨｅＮＢ３００の受信品質が閾値Ｔｈを上回ったと判定された場合には、その結果を含んだメジャメント・レポートをＨｅＮＢ３００に送信する（Ｓ３５）。このメジャメント・レポートを受信したＨｅＮＢ３００は最大送信電力を元に戻す（Ｓ３６）。
【００９６】
このような第４の実施の形態の無線通信システムによっても、第１の実施の形態と同様の作用効果が奏される。
【００９７】
本実施の形態では、マクロセルからの受信品質が低い（閾値Ｔ１より小さい）ときには、ＣＳＧセルからの受信品質がある程度低いとき（ＵＥ１００がＨｅＮＢ３００からある程度遠くに位置するときなど）でも、ハンドオーバーが行われるように制御される。この場合に、ＨｅＮＢ３００の送信電力が大きくなるように制御されるので、ＵＥ１００がＨｅＮＢ３００へハンドオーバーした後に、ＨｅＮＢ３００から十分な受信品質を得ることができる。
【００９８】
そして、この場合、ＨｅＮＢ３００からＵＥ１００に、所定の閾値Ｔｈ（第３の閾値）が送信され、ＣＳＧセル受信品質が高くなった（第３の閾値Ｔｈより大きくなった）場合には、ＨｅＮＢ３００の送信電力を元に戻すように制御される。例えば、ＵＥ１００がハンドオーバーした後にＨｅＮＢ３００へ近づいて、その結果、ＣＳＧセル受信品質がある程度高くなった場合には、ＨｅＮＢ３００の送信電力を低くする。このようにして、ＨｅＮＢ３００の送信電力を不必要に上げるのを防ぐことができる。
【００９９】
（第５の実施の形態）
本発明の第５の実施の形態の通信システムについて、図１８を用いて説明する。ここでは、本実施の形態が、第１の実施の形態と相違する点を中心に説明する。ここで特に言及しない限り、第５の実施の形態の構成および動作は、第１の実施の形態と同様である。
【０１００】
本実施の形態では、ＵＥ１００に対して送信される下り回線の信号（ＤＬ信号）が他のセルに与える干渉も考慮してオフセット値の補正を行うように構成されており、この点が、上り回線の信号（ＵＬ信号）による干渉を考慮してオフセット値の補正を行っていた第１の実施の形態と異なる。
【０１０１】
本実施の形態のＵＥ１００のオフセット値補正部１０５は、同一周波数の他のＣＳＧセルへのＤＬ干渉を考慮して、補正値α、βを補正するように構成されている。例えば、一番受信品質の良いＣＳＧセル（ベストＣＳＧセル）と二番目に受信品質が良いＣＳＧセルとの受信品質の差が閾値Ｔｃより小さい場合には、ＣＳＧセル間の距離は近いため、オフセット値を増大することによる他のＣＳＧセルへのＤＬ干渉が大きいと考えられる。したがって、この場合はオフセット補正値αを小さくするように構成されている。
【０１０２】
以上のように構成された通信システムについて、図面を参照してその動作を説明する。ここでも、通信システムの動作が、第１の実施の形態と相違する点を中心に説明する。
【０１０３】
図１８は、本実施の形態の補正値の補正処理の流れを示すフロー図である。図１８に示すように、まず、ＵＥ１００において、ｅＮＢ２００からの受信品質が閾値Ｔ１より小さいか否かの判定が行われる（Ｓ４０）。ｅＮＢ２００からの受信品質が閾値Ｔ１より小さい場合には、補正処理の対象として補正値βが選択される（Ｓ４１）。そして、一番受信品質の良いＣＳＧセルと二番目に受信品質が良いＣＳＧセルとの受信品質の差が閾値Ｔｃより小さいか否かの判定が行われる（Ｓ４２）。受信品質の差が閾値Ｔｃより小さいと判定された場合には、補正値βを小さくする補正が行われる（Ｓ４３）。
【０１０４】
一方、ｅＮＢ２００からの受信品質が閾値Ｔ１より小さくなかった場合には、ｅＮＢ２００からの受信品質が閾値Ｔ２より大きいか否かの判定が行われる（Ｓ４４）。ｅＮＢ２００からの受信品質が閾値Ｔ２より大きい場合には、補正処理の対象として補正値αが選択される（Ｓ４５）。そして、一番受信品質の良いＣＳＧセルと二番目に受信品質が良いＣＳＧセルとの受信品質の差が閾値Ｔｃより小さいか否かの判定が行われる（Ｓ４６）。受信品質の差が閾値Ｔｃより小さいと判定された場合には、補正値αを小さくする補正が行われる（Ｓ４７）。
【０１０５】
このような第５の実施の形態の無線通信システムによっても、第１の実施の形態と同様の作用効果が奏される。
【０１０６】
本実施の形態では、ＵＥ１００の周辺の複数のＨｅＮＢ３００からの受信品質に基づいて、補正値α、βが補正される。例えば、ＵＥ１００の周辺に二つのＨｅＮＢ３００があり、その二つのＨｅＮＢ３００が互いに近くに位置している場合には、二つのＨｅＮＢ３００からＵＥ１００への下り回線の干渉が生じるおそれがある。このような場合に、二つのＨｅＮＢ３００からの受信品質に基づいて補正値α、βが補正される。
【０１０７】
例えば、二つのＨｅＮＢ３００の受信品質の差が小さい場合には、補正値α、βを小さくするように補正が行われ、その結果、ＨｅＮＢ３００の受信品質が低いとき（ＵＥ１００がＨｅＮＢ３００から遠くに位置するときなど）には、ハンドオーバーは行われにくくなる。このようにして、二つのＨｅＮＢ３００が互いに近くに位置している場合には、ＵＥ１００がＨｅＮＢ３００の近くに位置するときにハンドオーバーが行われやすくなるように制御される。したがって、ＨｅＮＢ３００の送信電力を小さく抑えることができ、（ＨｅＮＢ３００の送信電力が大きいことに起因して）ＨｅＮＢ３００からＵＥ１００への下り回線の干渉が生じるのを抑えることができる。つまり、ＨｅＮＢ３００からＵＥ１００への下り回線の干渉を考慮した適切なオフセット値を使用することができる。
【０１０８】
具体的には、最も大きいＨｅＮＢ３００の受信品質と二番目に大きいＨｅＮＢ３００の受信品質の差が小さいとき（閾値Ｔｃより小さいときなど）に、オフセット値の補正に用いる補正値α、βを小さくするように補正が行われる。これにより、ＨｅＮＢ３００からＵＥ１００への下り回線の干渉を考慮した適切なオフセット値を使用することができる。
【０１０９】
（第６の実施の形態）
本発明の第６の実施の形態の通信システムについて、図１９〜図２２を用いて説明する。ここでは、本実施の形態が、第１の実施の形態と相違する点を中心に説明する。ここで特に言及しない限り、第６の実施の形態の構成および動作は、第１の実施の形態と同様である。
【０１１０】
本実施の形態では、ＣＳＧセルの受信品質を所定の閾値と比較した結果に基づいて、マクロセルからＣＳＧセルへのハンドオーバーが制御されるようになっており、この点が、マクロセルの受信品質とＣＳＧセルの受信品質とを比較した結果に基づいて、マクロセルからＣＳＧセルへのハンドオーバーが制御される第１の実施の形態と異なる。
【０１１１】
図１９は、本実施の形態のＵＥ１００の構成を示すブロック図である。図１９に示すように、ＵＥ１００の制御部１０１には、マクロセルの受信品質に応じて閾値を補正する閾値補正部１１８が備えられており、ＭＲ生成送信部１０７は、ＣＳＧセルの受信品質が補正後の閾値を上回った場合に、そのＣＳＧセルの受信品質とそのＨｅＮＢ３００のＰＣＩを、受信品質測定結果としてｅＮＢ２００に通知する機能を備えている。なお、ＭＲ生成送信部１０７は、ＣＳＧセルの受信品質が補正後の閾値を上回り、かつ、マクロセル（サービングセル）の受信品質の第２の閾値を下回った場合に、そのＣＳＧセルの受信品質とそのＨｅＮＢ３００のＰＣＩを、受信品質測定結果としてｅＮＢ２００に通知してもよい。この場合、閾値補正部１１８は、マクロセルの受信品質に応じて第２の閾値を補正してもよい。
【０１１２】
ここで、閾値の補正について、具体例をあげて説明する。例えば、ＵＥ１００には、閾値の標準値が予め設定されており、ＵＥ１００は、その標準の閾値を補正するための二つの補正値（ｅＮＢ２００の近傍用の補正値ａ、セルエッジ用の補正値ｂ）を基地局（ｅＮＢ２００やＨｅＮＢ３００）から受信する。例えば、補正値ａ＜０、補正値ｂ＞０である。そして、閾値補正部１１８によって、マクロセルの受信品質に応じて、補正値ａ、ｂを用いた閾値の補正が行われる。
【０１１３】
図２０は、閾値補正部１１８の動作（閾値の補正処理）のフロー図である。図２０に示すように、閾値補正部１１８では、ｅＮＢ２００の受信品質がＴ１（受信品質の閾値）を下回るか否かの判定が行われる（Ｓ５０）。ｅＮＢ２００の受信品質がＴ１より小さい場合には、補正値ｂを用いて閾値の補正が行われる（Ｓ５１）。一方、ｅＮＢ２００の受信品質がＴ１より小さくない場合には、Ｔ２（受信品質の閾値）を上回るか否かの判定が行われる（Ｓ５２）。ｅＮＢ２００の受信品質がＴ２より大きい場合には、補正値ａを用いて閾値の補正が行われる（Ｓ５３）。なお、ここでは、補正値ａ＜０、補正値ｂ＞０の例について説明したが、本発明の範囲はこれに限定されるものではなく、これらの補正値はａ＜ｂの関係を満たすものであればよい。また、Ｔ１とＴ２は、同じ値（Ｔ１＝Ｔ２）であってもよい。また、このような閾値の補正処理は、第２の閾値についても同様に適用することができる。
【０１１４】
このような本発明の第６の実施の形態の通信システムによっても、第１の実施の形態と同様の作用効果が奏される。
【０１１５】
本実施の形態では、ＵＥ１００から基地局への上り回線の干渉を考慮した適切な閾値を用いてハンドオーバー制御を行うことができる。すなわち、ＵＥ１００において、マクロセルからの受信品質に応じて閾値の補正が行われ、その閾値を用いてハンドオーバーの制御が行われる。この場合、ＣＳＧセルの受信品質をその閾値と比較し、その比較結果に基づいて、そのＣＳＧセルへのハンドオーバーが制御される。具体的には、ＣＳＧセル受信品質が閾値より高い場合に、ハンドオーバーを行うように制御される。
【０１１６】
例えば、マクロセル受信品質が高い場合（ＵＥ１００がｅＮＢ２００の近くに位置している場合など）には、閾値が大きくなるように補正される。そうすると、ＣＳＧセル受信品質がある程度低いとき（ＵＥ１００がＨｅＮＢ３００から遠くに位置するときなど）には、ハンドオーバーが行われないように制御される。このようにして、ＵＥ１００がある程度基地局の近くに位置するときにだけハンドオーバーが行われるようになる。これにより、ＵＥ１００が基地局へ信号を送信するときの送信電力を比較的小さく抑えることができる。したがって、ＵＥ１００が基地局の近くに位置するときに、ＵＥ１００の送信電力が大きいことに起因してＵＥ１００から基地局への上り回線の干渉が生じるのを抑えることができる。つまり、ＵＥ１００から基地局への上り回線の干渉を考慮した適切な閾値を用いて、ハンドオーバー制御を行うことができる。
【０１１７】
また、例えば、マクロセルの受信品質が低い場合（ＵＥ１００がセルエッジに位置している場合など）には、閾値が小さくなるように補正される。そうすると、ＣＳＧセル受信品質がある程度低いとき（ＵＥ１００がＨｅＮＢ３００からある程度遠くに位置するときなど）でも、ハンドオーバーが行われるように制御される。この場合には、ＵＥ１００が基地局（ｅＮＢ２００やＨｅＮＢ３００）から離れているので、ＵＥ１００の送信電力がある程度大きくても、ＵＥ１００から基地局への上り回線の干渉が生じることが少ない。このような場合に、ＵＥ１００が基地局から遠くに位置するときでもハンドオーバーが行われるように制御されるので、ＵＥ１００がハンドオーバーの機会を逃す確率を低く抑えることができる。つまり、ＵＥ１００から基地局への上り回線の干渉を考慮した適切な閾値を用いて、ハンドオーバー制御を行うことができる。
【０１１８】
なお、以上の例では、ＵＥ１００に、閾値の標準値が予め設定されており、その標準の閾値を補正するための二つの補正値を基地局（ｅＮＢ２００やＨｅＮＢ３００）から受信する場合について説明したが、本発明の範囲はこれに限定されるものではなく、ＵＥ１００が、二つの閾値（ｅＮＢ２００の近傍用の閾値Ｔａ、セルエッジ用の閾値Ｔｂ（但し、Ｔａ＞Ｔｂ））を基地局から受信してもよい。
【０１１９】
また、閾値補正部１１８は、マクロセルの受信品質に応じて閾値を算出する機能を備えてもよい。例えば、ＵＥ１００は、閾値を算出するためのデータ（図２１のようなマクロセルの受信品質と閾値との相関関係を表した計算式や、マクロセルの受信品質と閾値を対応付けたテーブルなど）を、基地局（ｅＮＢ２００やＨｅＮＢ３００）から受信してもよい。この場合、閾値補正部１１８は、マクロセルの受信品質に応じて、適切な閾値を算出することができる。したがって、ＵＥ１００側で、より柔軟に閾値の設定を行うことができる。
【０１２０】
なお、本実施の形態の閾値補正部１１８と同様に、第１〜第３の実施の形態のオフセット値補正部１０５も、マクロセルの受信品質に応じてオフセット値を算出する機能を備えてもよい。例えば、ＵＥ１００は、オフセット値を算出するためのデータ（図２２のようなマクロセルの受信品質とオフセット値との相関関係を表した計算式や、マクロセルの受信品質とオフセット値を対応付けたテーブルなど）を、基地局（ｅＮＢ２００やＨｅＮＢ３００）から受信してもよい。この場合、オフセット値補正部１０５は、マクロセルの受信品質に応じて、適切なオフセット値を算出することができる。したがって、ＵＥ１００側で、より柔軟にオフセット値の設定を行うことができる。
【０１２１】
（第７の実施の形態）
本発明の第７の実施の形態の通信システムについて、図２３および図２４を用いて説明する。ここでは、本実施の形態が、第１の実施の形態と相違する点を中心に説明する。ここで特に言及しない限り、第７の実施の形態の構成および動作は、第１の実施の形態と同様である。
【０１２２】
本実施の形態では、ハイブリッドＣＳＧセル（アクセス許可のあるメンバーはＣＳＧセルとしてアクセスでき、アクセス許可のないメンバーはマクロセルとしてアクセスできる）に対応する機能が備えられており、この点が、通常のＣＳＧセル（アクセス許可のあるメンバーのＵＥ１００のみがアクセスできる）のみを想定している第１の実施の形態と異なる。
【０１２３】
図２３は、本実施の形態のＵＥ１００の構成を示すブロック図である。図２３に示すように、ＵＥ１００の制御部１０１には、ＵＥ１００がハンドオーバー先として検出したセルの基地局がハイブリッドＣＳＧセルの基地局であるか否かを判別するハイブリッド基地局判別部１１９と、ＵＥ１００がそのハイブリッドＣＳＧセルのメンバーであるか否か（アクセス許可があるか否か）を判定するハイブリッド許可判定部１２０が備えられている。
【０１２４】
ハイブリッド基地局判別部１１９は、例えば、検出したセルのセルＩＤ（ＰＣＩ）情報に基づいて、そのセルがハイブリッドＣＳＧセルの基地局であるか否かを判別してもよい。また、このハイブリッド基地局判別部１１９は、検出したセルから送信される報知情報に基づいて、そのセルがハイブリッドＣＳＧセルの基地局であるか否かを判別してもよい。
【０１２５】
ハイブリッド許可判定部１２０は、例えば、ＵＥ１００がメンバーとなっているハイブリッドＣＳＧセルのセルＩＤ（ＰＣＩ）情報のリストを有しており、そのリストに基づいて、ＵＥ１００がそのハイブリッドＣＳＧセルのメンバーであるか否かを判定する。ハイブリッド許可判定部１２０で、アクセス許可があると判定された場合には、オフセット値の補正処理が行なわれる。一方、アクセス許可がないと判定された場合には、オフセット値の補正処理は行なわれない。
【０１２６】
図２４は、本実施の形態のＵＥ１００における処理の流れを示すフロー図である。図２４に示すように、ＵＥ１００がハンドオーバー先のセルを検出すると、まず、検出したセルがハイブリッドＣＳＧセルであるか否かの判別が行われる（Ｓ６０）。そして、そのセルがハイブリッドＣＳＧセルであると判別された場合には、ＵＥ１００がそのハイブリッドＣＳＧセルのメンバーであるか（アクセス許可があるか）否かが判定される（Ｓ６１）。アクセス許可があると判定された場合には、オフセット値の補正処理が行なわれ（Ｓ６２）、アクセス許可がないと判定された場合には、オフセット値の補正処理は行なわれない。
【０１２７】
このような本発明の第７の実施の形態の通信システムによっても、第１の実施の形態と同様の作用効果が奏される。
【０１２８】
さらに、本実施の形態では、ハイブリッドＣＳＧセル（アクセス許可されているＵＥ１００は、ＣＳＧセルとしてアクセス可能であり、かつ、アクセス許可されていないＵＥ１００は、マクロセルとしてアクセス可能であるセル）に適切に対応することができる。つまり、ハイブリッドＣＳＧセルに対しても、ＵＥ１００から基地局への上り回線の干渉を考慮した適切なオフセット値を用いてハンドオーバー制御を行うことができる。
【０１２９】
なお、以上の例では、ハイブリッドＣＳＧセルに対応させてオフセット値の補正処理を行なう場合について説明したが、本発明の範囲はこれに限定されるものではなく、上記と同様にして、ハイブリッドＣＳＧセルに対応させて閾値の補正処理が行なわれてもよい。つまり、ハンドオーバー先として検出されたセルがハイブリッドＣＳＧセルであると判別された場合に、ＵＥ１００がそのハイブリッドＣＳＧセルのメンバーであるか（アクセス許可があるか）否かが判定された結果、アクセス許可があると判定されたときには、閾値の補正処理が行なわれ、アクセス許可がないと判定されたときには、閾値の補正処理は行なわれないようにしてもよい。このようにして、ハイブリッドＣＳＧセルに対しても、ＵＥ１００から基地局への上り回線の干渉を考慮した適切な閾値を用いてハンドオーバー制御を行うことができる。
【０１３０】
（第８の実施の形態）
本発明の第８の実施の形態の通信システムについて、図２５〜図２８を用いて説明する。ここでは、本実施の形態が、第１の実施の形態と相違する点を中心に説明する。ここで特に言及しない限り、第８の実施の形態の構成および動作は、第１の実施の形態と同様である。
【０１３１】
本実施の形態では、マクロセルのサービス帯域内でマクロセルと異なるサービス帯域を有するＣＳＧセルに対するインター・フレキュエンシー・メジャメントが想定されており、この点が、マクロセルのサービス帯域外でマクロセルと異なるサービス帯域を有するＣＳＧセルに対するインター・フレキュエンシー・メジャメントのみを想定している第１の実施の形態と異なる。
【０１３２】
図２５は、本実施の形態のＵＥ１００の構成を示すブロック図である。図２５に示すように、ＵＥ１００の制御部１０１には、インター・フレキュエンシー・メジャメントを行うための構成として、マクロセルのサービス帯域と異なるサービス帯域を有するＣＳＧセルを検知するセル検知部１２１と、セル検知部１２１によって検知されたセルがマクロセルのサービス帯域内であるか否かを判定するサービス帯域判定部１２２が備えられている。
【０１３３】
なお、このインター・フレキュエンシー・メジャメント機能は、ＵＥ１００またはネットワークが保持するフィンガープリント情報に基づいて起動されてもよい。例えば、ＵＥ１００が以前にこのエリアを通過したときに、現在アクセスしている周波数とは異なる周波数で基地局にアクセスしていたという履歴が、フィンガープリント情報として残されていた場合には、インター・フレキュエンシー・メジャメントを実行するようにトリガー制御されてもよい。
【０１３４】
図２６を参照しながら、本実施の形態のインター・フレキュエンシー・メジャメントを具体的に説明する。図２６では、四角マークで、そのセルのメジャメント時に用いる制御チャネルとしてシンクロナイゼーション・チャネル（ＳＣＨ）やブロードキャスティング・チャネル（ＢＣＨ）などが表されており、その四角マークから上下に延びるバーで、そのセルのサービス帯域（周波数帯）が示されている。
【０１３５】
この例では、ＣＳＧセルＢ、Ｃが、マクロセルのサービス帯域内でマクロセルと異なる周波数のサービス帯域を有しているので、本実施の形態のインター・フレキュエンシー・メジャメントで検出される。なお、ＣＳＧセルＡは、マクロセルのサービス帯域とメジャメント時に用いる制御チャネルの周波数帯が同一であるため、イントラ・フレキュエンシー・メジャメントで検出される。また、ＣＳＧセルＤは、マクロセルのサービス帯域外でマクロセルと異なる周波数のサービス帯域を有しているので、第１の実施の形態のインター・フレキュエンシー・メジャメントで検出される。
【０１３６】
図２７は、本実施の形態のＵＥ１００における処理の流れを示すフロー図である。図２７に示すように、ＵＥ１００でインター・フレキュエンシー・メジャメントが行われると、まず、マクロセルのサービス帯域と異なるサービス帯域を有するＣＳＧセルを検知したか否かの判定が行われ（Ｓ７０）、検知したと判定された場合には、検知されたセルがマクロセルのサービス帯域内であるか否かが判定される（Ｓ７１）。そして、マクロセルのサービス帯域内であると判定された場合には、オフセット値の補正処理が行なわれ（Ｓ７２）、サービス帯域外であると判定された場合には、オフセット値の補正処理は行なわれない。
【０１３７】
このような本発明の第８の実施の形態の通信システムによっても、第１の実施の形態と同様の作用効果が奏される。
【０１３８】
そして、本実施の形態では、インター・フレキュエンシー・メジャメントによって、マクロセルと異なる周波数のサービス帯域を有するＣＳＧセルが検出された場合に、そのＣＳＧセルのサービス帯域が、マクロセルのサービス帯域に入っているときには、ＵＥ１００から基地局への上り回線の干渉を考慮した適切なオフセット値を用いてハンドオーバー制御が行われる。したがって、ＵＥ１００から基地局への上り回線の干渉を抑えることができる。
【０１３９】
なお、図２８に示すように、サービングセル（マクロセルＡ）のサービス帯域の近くに他のマクロセル（マクロセルＢ）のサービス帯域が存在する場合も考えられる。この場合、マクロセル（マクロセルＢ）のサービス帯域内でマクロセル（マクロセルＢ）と異なる周波数のサービス帯域を有しているＣＳＧセルＤ、Ｅ、Ｆが、本実施の形態のインター・フレキュエンシー・メジャメントで検出されてもよい。このインター・フレキュエンシー・メジャメントの結果、マクロセルのサービス帯域内であると判定されてオフセット値の補正処理が行なわれる場合には、マクロセルＢ（ＣＳＧセルＤ、Ｅ、Ｆと上り回線の干渉が発生するおそれがあるマクロセル）の受信品質に基づいて、オフセット値の補正が行われる。
【０１４０】
また、以上の例では、インター・フレキュエンシー・メジャメントの結果、マクロセルのサービス帯域内であると判定されたときにオフセット値の補正処理が行なわれる場合について説明したが、本発明の範囲はこれに限定されるものではなく、上記と同様にして、インター・フレキュエンシー・メジャメントの結果、マクロセルのサービス帯域内であると判定されたときに閾値の補正処理が行なわれてもよい。この場合、インター・フレキュエンシー・メジャメントによって、マクロセルと異なる周波数のサービス帯域を有するＣＳＧセルが検出された場合に、そのＣＳＧセルのサービス帯域が、マクロセルのサービス帯域に入っているときには、ＵＥ１００から基地局への上り回線の干渉を考慮した適切な閾値を用いてハンドオーバー制御が行われる。したがって、ＵＥ１００から基地局への上り回線の干渉を抑えることができる。
【０１４１】
（第９の実施の形態）
本発明の第９の実施の形態の通信システムについて、図２９および図３０を用いて説明する。ここでは、本実施の形態が、第１の実施の形態と相違する点を中心に説明する。ここで特に言及しない限り、第９の実施の形態の構成および動作は、第１の実施の形態と同様である。
【０１４２】
本実施の形態では、ＵＥ１００の送信電力（上り回線の送信電力）が一定になるように制御されており、この点が、ＵＥ１００の送信電力が大きくなるように制御される第１の実施の形態と相違する。また、本実施の形態では、ＨｅＮＢ３００の送信電力（下り回線の送信電力）が一定になるように制御されており、この点も、ＨｅＮＢ３００の送信電力が大きくなるように制御される第１の実施の形態とは相違する。また、第１の実施の形態では、セルエッジでのハンドオーバーを促すことを目的としてＵＥ１００やＨｅＮＢ３００の送信電力が制御されるのに対し、本実施の形態では、ｅＮＢ２００の近傍でのハンドオーバーを促すことを目的としている点でも相違する。
【０１４３】
本実施の形態のオフセット値補正部１０５は、ｅＮＢ２００の近傍においてオフセット値が大きくなるように、オフセット値の補正処理を行なう。このオフセット値の補正は、補正後のオフセット値を用いてオフセット処理をした結果、ＣＳＧセルにハンドオーバーした後に、ＵＥ１００がＨｅＮＢ３００の下り回線の信号で重要な制御信号（例えば、フィジカル・デディケイテッド・コントロール・チャネル：ＰＤＣＣＨなど）を受信できる程度に行う。
【０１４４】
ここで、本実施の形態のオフセット値の補正処理について、図面を参照しながら説明する。図２９に示すように、ＨｅＮＢ３００の送信電力（下り回線の送信電力）を一定にすると、ｅＮＢ２００の近傍のＣＳＧセル（ＣＳＧセルＡ）は、マクロセルからの干渉が大きく、セル半径が小さくなる。一方、マクロセルのセルエッジ付近のＣＳＧセル（ＣＳＧセルＢ）は、マクロセルからの干渉が小さく、セル半径が大きくなる。このような状況で、ＣＳＧセルの位置によるサービスエリアの不平等を解消するためにＵＥ１００がｅＮＢ２００の近傍に位置しているときにオフセット値が大きくなるように、ＵＥ１００のオフセット値補正部１０５においてオフセット値の補正処理が行なわれることが考えられる。
【０１４５】
このような本発明の第９の実施の形態の通信システムによれば、ｅＮＢ２００の近傍においてオフセット値が大きくなるようにオフセット値が補正されるので、ｅＮＢ２００の近傍でセル半径が小さくなってしまうＣＳＧセルでもハンドオーバー可能な範囲を拡大することができる。例えば、図３０に示すように、ｅＮＢ２００の近傍のＣＳＧセルＡ（セル半径が小さいＣＳＧセル）でも、セルエッジ付近のＣＳＧセルＢ（セル半径が大きいＣＳＧセル）と同じ程度まで、ハンドオーバー可能な範囲を拡大することができる。さらに、この場合、ＵＥ１００の送信電力が一定とされているので、ＵＥ１００から基地局への上り回線の干渉を抑えることができる。また、ＨｅＮＢ３００の送信電力が一定になるように制御されているので、ＨｅＮＢ３００の送信電力を上げる制御を行う場合に比べて、ＨｅＮＢ３００の送信電力増加に伴う他のセルへの干渉を小さくすることができる。また、ＨｅＮＢ３００の送信電力を変える制御が不要となるので、ＨｅＮＢ３００での処理が簡単になる。
【０１４６】
以上、本発明の実施の形態を例示により説明したが、本発明の範囲はこれらに限定されるものではなく、請求項に記載された範囲内において目的に応じて変更・変形することが可能である。
【０１４７】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【０１４８】
以上のように、本発明にかかる通信システムは、端末装置から基地局への上り回線の干渉を考慮した適切なオフセット値を用いてハンドオーバー制御を行うことが可能になるという効果を有し、マクロセルからＣＳＧセルへのハンドオーバー制御等に用いられ、有用である。
【符号の説明】
【０１４９】
１００  端末装置（ＵＥ）
１０１  制御部
１０３  設定信号受信部
１０４  受信品質測定部
１０５  オフセット値補正部
１０６  オフセット処理部
１０７  メジャメント・レポート生成送信部
１０９  ハンドオーバー実行命令受信部
１１５  報知信号受信部
１１６  共通オフセット記憶部
１１７  受信品質判定部
１１８  閾値補正部
１１９  ハイブリッド基地局判別部
１２０  ハイブリッド許可判定部
１２１  セル検知部
１２２  サービス帯域判定部
２００  マクロセル基地局（ｅＮＢ）
２０１  制御部
２０４  設定信号送信部
２０５  メジャメント・レポート受信部
２０６  ハンドオーバー判定部
２０７  ハンドオーバー要求送信部
２０８  ハンドオーバー応答受信部
２０９  ハンドオーバー実行命令送信部
２１０  報知信号送信部
２１１  補正値記憶部
３００  ＣＳＧセル基地局（ＨｅＮＢ）
３０１  制御部
３０４  ハンドオーバー要求受信部
３０６  ハンドオーバー応答送信部
３０７  送信電力制御部
３０８  報知信号送信部
３１２  補正値記憶部
３１３  メジャメント・レポート受信部
【図１】
0005456695.tif 000002
【図２】
0005456695.tif 000003
【図３】
0005456695.tif 000004
【図４】
0005456695.tif 000005
【図５】
0005456695.tif 000006
【図６】
0005456695.tif 000007
【図７】
0005456695.tif 000008
【図８】
0005456695.tif 000009
【図９】
0005456695.tif 000010
【図１０】
0005456695.tif 000011
【図１１】
0005456695.tif 000012
【図１２】
0005456695.tif 000013
【図１３】
0005456695.tif 000014
【図１４】
0005456695.tif 000015
【図１５】
0005456695.tif 000016
【図１６】
0005456695.tif 000017
【図１７】
0005456695.tif 000018
【図１８】
0005456695.tif 000019
【図１９】
0005456695.tif 000020
【図２０】
0005456695.tif 000021
【図２１】
0005456695.tif 000022
【図２２】
0005456695.tif 000023
【図２３】
0005456695.tif 000024
【図２４】
0005456695.tif 000025
【図２５】
0005456695.tif 000026
【図２６】
0005456695.tif 000027
【図２７】
0005456695.tif 000028
【図２８】
0005456695.tif 000029
【図２９】
0005456695.tif 000030
【図３０】
0005456695.tif 000031
【図３１】
0005456695.tif 000032
【図３２】
0005456695.tif 000033
【図３３】
0005456695.tif 000034